(57)【要約】本発明は、操作状態において磁場が検査される生物に適用される少なくとも一つの切り換え可能な磁石を含む医療検査装置（１）に関する。本発明は、電流が通過して流れる場合に磁場を生成するコイル（３）、及び検査される生物を受けるようにコイルの内部に提供される受取り空間（２）を含み、検査装置（１）は床（５）に取り付けられており、及びノイズ吸収物質（１６）が磁石（３）の真下に位置する面に提供されるような手段で構成されている、顕著な検査装置（１）に関する。
2004516122.tif 000002
【特許請求の範囲】
【請求項１】
操作状態において磁場が検査される生物に作用する少なくとも一つの切り換え可能な磁石を含む医療検査装置であって、前記検査装置は電流が通過して流れる場合に磁場を生成するコイル、及び前記検査される生物を受けるための前記コイルの内部空間に提供される受取り空間を含み、前記検査装置は床に取り付けられており、ノイズ吸収物質が磁石の真下に位置する面に提供されることを特徴とする医療検査装置。
【請求項２】
前記検査装置は突出する足の手段によって前記床に取り付けられて、前記ノイズ吸収物質は前記足間の中間空間に提供されることを特徴とする請求項１に記載の検査装置。
【請求項３】
前記検査装置は磁気共鳴に基づいて操作するトモグラフィー装置であることを特徴とする請求項１若しくは２の一に記載の検査装置。
【請求項４】
前記ノイズ吸収物質は泡物質の少なくとも一部分から構成されることを特徴とする請求項１乃至３の一に記載の検査装置。
【請求項５】
前記ノイズ吸収物質は単一部品から構成される要素として形成されることを特徴とする請求項１乃至４の一に記載の検査装置。
【請求項６】
前記ノイズ吸収物質は前記間さ装置の真下に存在する穴に適合するように事前に形成されることを特徴とする請求項５に記載の検査装置。
【請求項７】
前記ノイズ吸収物質は設置された検査装置の目的とする空間に導入できることを特徴とする請求項１乃至６の一に記載の検査装置。
【発明の詳細な説明】
【０００１】
本発明は請求項１の序章部分で開示されるような医療検査装置に関し、その装置の磁場は操作において検査される生物、すなわち特に人間か動物に適用することができる。
【０００２】
この種類の検査装置において、患者を受ける空間が慣習的に提供されており、その受理空間は外部コイルの軸の内部の場所に位置している。電流がコイルに適用される場合、コイルの内側に配置される患者を通過し、画像化方法において使用される様々な作用の生成が可能な磁場が生成される。特に、複数の磁気コイルは、まず最初に静的磁場、第二に位置情報を獲得するための勾配場として作用する交流場、最後に共鳴を引き起こすためのＲＦ磁気交流磁場を生成するように提供されるかもしれない。全体として、複数の磁場は重層される。ＲＦ磁気交流磁場は、核スピンの再配位のために使用することができる磁気共鳴を励起することが可能である。かかるスピンの励起は、異質の磁場に完全に含まれ、共振周波数は異質の磁場の任意の位置において異なるので、検査される生物の空間的に分解された画像として評価され得る。
【０００３】
一つ以上の磁石は超伝導における臨界温度より低い温度を可能にするために低温保持装置に埋め込まれているかもしれない。適切な強い磁場を生成するために、超伝導状態で磁場を生成するコイルを維持することが必要である。４．２°Ｋの温度の液体ヘリウムで満たされている低温保持装置は、かかる目的のために提供される。
【０００４】
１００ｋＮに範囲である、強い電磁力（ローレンツ力）は勾配場を生成するコイルの変形を引き起こす。これは、勾配コイルが取り付けられる低温保持装置に転送される振動に帰着する。すなわち、これは勾配場を操作するための操作を切り替えることと共に、悩ますノイズの実質的な量を生じさせ、それによってさらにノイズの他の源と共に低温保持装置の金属部分で渦電流が引き起こされる。一方のノイズは、フロアの低温保持装置及びその支持物のような装置の部品によって、床に対して構造的に有しているノイズとして直接転送され、もう一方では、周辺環境に空輸されたノイズとして転送される。したがって、検査装置が設置されている場所で転送される。結果として、特に床である、部屋の仕切は、ノイズの導体として作用する。それゆえ、近隣の部屋と検査装置の下に位置する部屋は著しいノイズの負荷を受けている。
【０００５】
本発明の目的はかかる状況を改善することである。
【０００６】
この目的は、請求項１の特徴部分に開示されているような検査装置の手段により、本発明と一致して達成される。有用なさらなる実施態様は請求項２乃至７に開示される。
【０００７】
検査装置が取り付けられているところで検査装置の真下の空間から床（例えば、中間シーリング）へのノイズの転送は、少なくとも一つの切り替え可能な磁石の真下に位置する面にノイズ吸収物質を提供することにより著しく減少できる。床の支持物内の振動を弱めることに加えて、減衰する第二の形式は、固定された構成部分を介する振動の転送を縮小するだけでなく空気によって転送されるノイズを減衰するように実現される。このノイズを減衰する物質は、支持物での振動の減衰を伴わずに音響的負荷を減少するために使用できる。
【０００８】
例えば裏張りなどが他のところで検査装置を包含し、既に減衰することを提供する少なくとも１つの囲いでこのように分配することができるので、好ましくは、ノイズの絶縁体は床の支持物間に提供される。
【０００９】
ノイズ吸収物質は検査装置の低部だけでなく、他の周辺部分にも提供され、例えば、裏張り内に追加的に提供されるかもしれないことは明かだろう。
【００１０】
例えば、マット若しくは同様の要素としてノイズ吸収物質がプレカットされる場合、後の段階において既に設置された検査装置に導入できる。
【００１１】
本発明のさらなる利点及び詳細は、添付図に示される本発明の実施態様の下記の記載から明かになるだろう。
【００１２】
示されている検査装置１は磁気共鳴トモグラフィー装置である。検査装置１は、例えば検査される患者が導入できる、検査空間２を含んでいる。原理的には、動物と同様に人間も検査可能である。しかしながら、他の生物も検査できる。
【００１３】
検査空間２は、切り換え可能な少なくとも一つの磁石を含む、磁石システム３によって取り囲まれている。磁石コイル若しくは他の磁石の配置は、検査装置１の配位に依存して変化するかもしれない。
【００１４】
磁石３は、特にコイルを超伝導における臨界温度より低い温度に冷却するために、例えば低温保持装置４に埋め込まれている。例えば磁気勾配磁場の生成中の切り換え操作及び検査装置１の任意のさらなるノイズ源は、望まないノイズを生成する。さらに、低温保持装置４は振動を開始する。そのような振動を床５のエリアに転送することを防ぐために、床５に取り付けられている検査装置１を介する支持物６は、例えば、ゴム要素及び足６の部分を形成するように構成される振動ダンパー７を備えて提供されるかもしれない。
【００１５】
検査装置１の本実施態様は、すなわち、ノイズの絶縁体と同様に光学的な増強のために裏張り８によって、支持物６の外部側面及びその支持物の上に取り囲まれている。図２で見られるように、裏張り８は低温保持装置４から放出されるノイズを減衰する。ここでノイズは幅広い矢印９によって与えられ、裏張り８の外部空間では細い矢印１０によって示されている。検査装置を取り囲む空間１１へのノイズ負荷を受けて、したがって、裏張り８が存在するので比較的小さい。それゆえ、点線矢印１３で示されるノイズの微弱な転送は、この外部空間から部屋１１の下に位置しているさらなる部屋１２に向かって発生する。
【００１６】
床５の振動、及びしたがって支持物６を介して低温保持装置による構造が有しているノイズの転送はまた、振動ダンパー７の手段によって最小化できる。しかしながら、磁石３の配置の下の低部１４でのノイズの転送は裏張りによっても、振動ダンパーによっても妨害されないで、その結果、そのエリアで発生するノイズ９は中間シーリング５によってのみ減衰され、結果として、比較的大きなノイズが矢印１５で示されるように、その下に位置している部屋１２に転送される。矢印９によって与えられる低部１４のノイズは、矢印１０によって示される裏張り８の外側の周囲の部屋のノイズレベルよりもおよそ１０ｄＢ乃至２０ｄＢ大きい。
【００１７】
したがって、下に位置している部屋１２へのノイズの転送の大部分は、裏張り８がない低部１４から発生する。このノイズの転送は、支持足６が中央に近接して配置している場合には、本質的に減衰されない。
【００１８】
ノイズ負荷を減衰するために、特に、図３で概略して示されている、検査装置１の下に位置する部屋１２において、本発明と一致して、ノイズ吸収物質１６が磁石の真下の領域１４に提供されている。例えば、ノイズ吸収物質１６は、効果的な減衰を実現するように特に重い構成部分を含む泡物質から構成される。本来泡物質は、異質であり、例えば、周辺の泡物質と比較してより高い密度の硫酸バリウム若しくは他の要素の添加物が提供されるかもしれない。例えば、ガラスウール及び／若しくは岩綿の使用が可能である。
【００１９】
空間１４はノイズ吸収物質１６で完全に満たされているか、若しくは図３で示されるように、検査装置１から明らかな領域を残すマットを提供されるかもしれない。足６と側面の裏張り８との間の空間はまた、ノイズ吸収物質１６で満たされるかもしれない。
【００２０】
ノイズ吸収物質１６は、後にノイズ吸収物質１６が空間に滑り込まれる、空間の大きさに適応されるためにプリカットされるように、例えば単一の本体からノイズ吸収物質物質が構成される際に適応することができる。また、前述のことは既に設置された検査装置１において行なわれるかもしれない。
【００２１】
さらに、その後、個々の部分の導入によって本質的に充満される空間１４の型に適応する緩いノイズ保護物質を供給することは可能である。
【００２２】
ノイズ保護物質１６は、下に位置している部屋１２へのノイズの転送を著しく減衰する。さらに、このノイズが減衰されるため、側から部屋１へ発散するノイズ量も縮小される。
【００２３】
裏張り８が磁石３の真下の領域１４に延在する場合、さらにノイズ吸収物質１６の導入が可能である。全面的に閉じられる場合のみにおいて、裏張りがこの領域でのノイズに対して効果的な保護を提供できることが考慮される。したがって、この場合において、少なくとも囲い込み足６を包含するように、ノイズ吸収物質が提供される。追加的若しくは代替として、全空間１４は引き下ろされて、裏張り８の内のノイズ保護物質でこのように満たすことができる。
【図面の簡単な説明】
【図１】
足の手段によって床に取り付けられた検査装置を概略する正面図である。
【図２】
ノイズの転送が概略的に示されている図１と同様の検査装置を表す。
【図３】
ノイズ吸収物質が磁石の真下に提供されている図１と同様の検査装置を表す。
【国際公開パンフレット】
2004516122.tif 000003
2004516122.tif 000004
2004516122.tif 000005
2004516122.tif 000006
2004516122.tif 000007
2004516122.tif 000008
2004516122.tif 000009
2004516122.tif 000010
【国際調査報告】
2004516122.tif 000011
2004516122.tif 000012
2004516122.tif 000013